(57)【特許請求の範囲】
【請求項１】
左右の縦枠と上下の枠で構成される枠体に戸体を建て込んでなる建具であって、
縦枠の開口側に室内側に入り込んだ段差部を形成するとともに、上枠の端面を略面一状に形成し、
上枠の前記端面を縦枠に突き当てて接合させ、
縦枠の前記段差部と上枠の端面の室外側部分とによって隙間を形成し、
縦枠の上端部を覆うキャップに下方に延出する延出部を一体的に設け、
前記延出部を前記隙間に嵌合して前記隙間を前記延出部により閉塞した
ことを特徴とする建具。
【請求項２】
請求項１において、
前記キャップに、前記上枠と前記縦枠との接合部の室外側部分を隠す接合隠し部を一体的に設けた
ことを特徴とする建具。
【発明の詳細な説明】
【０００１】
【発明の属する技術分野】
本発明は、扉等の建具に係わり、より詳しくは、上下左右枠で構成される枠体に戸体を建て込んでなる建具であって、縦枠の開口側に室内側に入り込んだ段差部を形成し、上枠の端面を縦枠に突き当てて接合させる構造の建具における縦枠の段差部と上枠との間の隙間の閉塞構造に関する。
【０００２】
【従来の技術】
図４（Ａ）の斜視図および図４（Ｂ）の平面図に示すように、従来の扉の枠体は左右の縦枠１の側面に上枠２と下枠（図示せず）の両端を突き合わせてタッピングねじ３により結合して構成される。左右の縦枠１の室外側の面の開口側、すなわち戸体４側の部分には段差部６が設けられる。そして、防犯上、すなわち戸体４と縦枠１との間の隙間を塞いでロック部分の露出を防ぎ、バール等で戸体４がこじ開けられることを防ぐために、一方の縦枠１の段差部６には、戸体４の戸先に設けた突部４ａが対面するように構成される。
【０００３】
上枠２の縦枠１との接合面は、縦枠１の接合面における前記段差部６に合致するように、室内外方向に切断された主面２ａと、段差部６に当接させるために室内側に向かう面２ｂおよび先端の室内外方向に切断された面２ｃとからなる。７は縦枠２の頂部に嵌合する合成樹脂製のキャップである。
【０００４】
【発明が解決しようとする課題】
上述のように、従来の扉等の建具においては、上枠２の端面を、縦枠１の段差部６を含む接合面に突き合わせる構造とするため、室内外方向に切断された面２ａ、２ｃと、左右方向に切断された面２ｂにより形成している。したがって、これらの面２ａ〜２ｃをそれぞれ形成するため、鋸等により上枠２の両端部を切断する工程として、それぞれ面２ａ〜２ｃに対応した３工程を必要とする。
【０００５】
本発明は、このような上枠の端面の加工工程が簡単になり、製造価格の低減が図れる構造の建具を提供することを目的とする。
【０００６】
【課題を解決するための手段】
請求項１の建具は、左右の縦枠と上下の枠で構成される枠体に戸体を建て込んでなる建具であって、
縦枠の開口側に室内側に入り込んだ段差部を形成するとともに、上枠の端面を略面一状に形成し、
上枠の前記端面を縦枠に突き当てて接合させ、
縦枠の前記段差部と上枠の端面の室外側部分とによって隙間を形成し、
縦枠の上端部を覆うキャップに下方に延出する延出部を一体的に設け、
前記延出部を前記隙間に嵌合して前記隙間を前記延出部により閉塞した
ことを特徴とする。
【０００７】
このように、キャップに下方への延出部を設けてその延出部により上枠と縦枠の段差部との間を塞ぐ構造とすることにより、上枠の端部に前記段差部を閉塞するための突出部を設ける必要がなくなり、上枠の端面をフラットにすることができ、上枠の加工工程が簡単になる。
【０００８】
請求項２の建具は、請求項１において、
前記キャップに、前記上枠と前記縦枠との接合部の室外側部分を隠す接合隠し部を一体的に設けた
ことを特徴とする。
【０００９】
このように、キャップに上枠と縦枠との接合面を隠す部分を設けることにより、両者の接合面に隙間があっても光漏れを生じることはない。
【００１０】
【発明の実施の形態】
図１（Ａ）は本発明による建具の一実施の形態である扉を室外側より見た図、図１（Ｂ）はそのコーナー部の断面図、図２（Ａ）はその縦枠と上枠との突き合わせ部を示す横断面図、図２（Ｂ）はその部分拡大図、図３（Ａ）はそのキャップの斜視図、図３（Ｂ）はそのキャップと上枠と縦枠との組み合わせ状態を示す斜視図である。
【００１１】
図１（Ａ）に示すように、枠体９は、左右の縦枠１の側面に、上枠２と下枠１０の両端を突き合わせ、図１（Ｂ）に示すようにタッピングねじ３により結合する。これらの縦枠１、上枠２および下枠１０は、アルミニウム合金製あるいは合成樹脂製形材により作製される。１１は戸体４を枠体９に取付ける蝶番である。
【００１２】
図２（Ａ）、（Ｂ）に示すように、上枠２の端面２ｄは略面一状に切断される。縦枠１の前記段差部６は、前述のように、縦枠１の室外側の面でかつ開口側に、室内側に入り込んだ形状に形成される。図３（Ａ）に示すように、キャップ７には、縦枠１の頂部開口部に嵌合される部分７ｃ以外に、段差部６に対応して形成された延出部７ａを有する。該延出部７ａは、キャップ７と一体成形により設けるか、あるいは別体に設けた延出部７ａをキャップ７に一体化しでもよい。キャップ７の材質は合成樹脂製のものであり、例えばナイロン等が用いられる。
【００１３】
このように、キャップ７に延出部７ａを一体的に設け、図１（Ｂ）、図２（Ａ）、（Ｂ）、図３（Ｂ）に示すように、上枠２の端面と前記段差部６との間に形成される隙間に、前記キャップ７の前記延出部７ａを嵌合して前記隙間を閉塞する。なお、図３（Ｂ）に示すように、キャップ７は、これを縦枠１の頂部から押し込んでキャップ７のばね状突起７ｄを縦枠１に設けた係止部１ａに係止させることにより、ワンタッチで取付けることが可能となっている。
【００１４】
このように、キャップ７に延出部７ａを形成し、該延出部７ａにより縦枠１の段差部６と上枠２の端面２ｄとの間の隙間を閉塞するように構成し、上枠２の端面２ｄを略面一状に形成することにより、上枠２の端面の切断は１工程ですむ。また、製造設備を簡略化でき、建具の価格を低減できる。また、前記隙間がキャップ７の延出部７ａにより閉塞されるので、外観を損なうこともない。
【００１５】
本発明において、上枠２の端面と縦枠１との間の接合部１２からの光漏れを防ぐため、その接合部１２にシール材を設けてもよいが、本実施の形態においては、キャップ７の室外側の面に、戸体４と縦枠１との間の接合部１２を塞ぐ接合隠し部７ｂを、延出部７ａの側面に上枠２側に突出させて形成することにより、接合部１２からの光の漏れを防止している。このため、上枠２と縦枠１との間に光漏れ防止のための前記シール材が不要となり、部品点数、工数が削減される。なお、接合隠し部７ｂは、上枠２内に入り込んだ構造にしてもよい。
【００１６】
以上本発明を実施の形態により説明したが、本発明は、枠体１内に固定のパネル等を嵌合した袖部を有する扉や、枠体内の左右いずれかあるいは双方に開口部を拡げるために臨時に開く子扉を設けたもの等にも適用できる。また、本発明は、上枠と縦枠とが前述のように組み合わされる引き戸その他の建具に適用することができ、縦枠１、上枠２、キャップ９等の具体的な形状、構造は上記実施の実施の形態以外に種々に変更できる。
【００１７】
【発明の効果】
請求項１によれば、上下左右枠で構成される枠体に戸体を建て込んでなる建具であって、縦枠の開口側に室内側に入り込んだ段差部を形成し、上枠の端面を縦枠に突き当てて接合させ、縦枠の前記段差部と上枠とによって隙間を形成し、縦枠の上端部を覆うキャップに下方に延出する延出部を一体的に設け、前記延出部を前記隙間に嵌合することにより前記隙間を閉塞し、上枠の端面を略面一状に形成したので、上枠の端部に前記段差部を閉塞するための突出部を設ける必要がなくなり、上枠の端面を略面一状にすることができ、上枠の加工工程が簡単になる。また、前記隙間がキャップの延出部により閉塞されるので、外観を損なうこともない。
【００１８】
請求項２によれば、請求項１において、前記キャップに、前記上枠と前記縦枠との接合部の室外側部分を隠す接合隠し部を一体的に設けたので、両者の接合面に隙間があっても光漏れを生じることはない。また、上枠と縦枠との接合部に光漏れを防止するシールを設ける必要がなくなる。
【図面の簡単な説明】
【図１】本発明による建具の一実施の形態である扉を室外側より見た図、（Ｂ）はそのコーナー部の断面図である。
【図２】（Ａ）は図１の扉における縦枠と上枠との突き合わせ部を示す横断面図、（Ｂ）はその部分拡大図である。
【図３】（Ａ）は図１、図２の扉のキャップの斜視図、（Ｂ）はそのキャップと上枠と縦枠との組み合わせ状態を示す斜視図である。
【図４】（Ａ）は従来の扉における縦枠と上枠との突き合わせ部を示す斜視図、（Ｂ）はその平面図である。
【符号の説明】
１：縦枠、２：上枠、２ｄ：端面（接合面）、４：戸体、６：段差部、７：キャップ、７ａ：延出部、７ｂ：接合隠し部、７ｃ：縦枠への嵌合部、９：枠体、１０：下枠、１１：蝶番、１２：接合部
【図１】
0003592102.tif 000002
【図２】
0003592102.tif 000003
【図３】
0003592102.tif 000004
【図４】
0003592102.tif 000005